(57)【要約】      （修正有）【課題】容易に機器をラックに固定できる技術を提供する。【解決手段】治具２０は、柱状の形状であって、その径の大きさが機器のラックに取り付けられるために設けられた穴の径より小さく、係合部材と係合する係合部２１を有する。また、治具２０は、機器がラックに取り付けられる際またはラックから機器が取り外される際、ラックを挟んで係合部材と係合され、機器のラックに取り付けるために設けられた穴が通される。また、治具２０の係合部は、柱状の形状の側面に設けられたねじ山であり、係合部材は、ナットであってもよい。【選択図】図４
2016082046.tif 000002
【特許請求の範囲】
【請求項１】
柱状の形状であって、
その径の大きさが機器のラックに取り付けられるために設けられた穴の径より小さく、
係合部材と係合する係合部を有し、
前記機器が前記ラックに取り付けられる際または前記ラックから前記機器が取り外される際、前記ラックを挟んで前記係合部材と係合され、前記穴が通される、
ことを特徴とする治具。
【請求項２】
請求項１に記載の治具であって、
前記係合部は、柱状の形状の側面に設けられたねじ山であり、
前記係合部材は、ナットである、
ことを特徴とする治具。
【請求項３】
請求項２に記載の治具であって、
前記ねじ山のねじ先とは逆方向の終端には、前記ねじ山より高いガイドが設けられている、
ことを特徴とする治具。
【請求項４】
柱状の形状であって、その径の大きさが機器のラックに取り付けられるために設けられた穴の径より小さく、係合部材と係合する係合部を有し、前記機器が前記ラックに取り付けられる際または前記ラックから前記機器が取り外される際、前記ラックを挟んで前記係合部材と係合され、前記機器の前記穴が通される、第１の治具と、
前記第１の治具の軸方向において、前記第１の治具が通される筒状部材と、前記第１の治具が前記ラックを挟んで前記係合部材と係合され、前記第１の治具に前記穴が通されたとき、前記機器の底部を支える、前記筒状部材と連結された支持部材と、を有する第２の治具と、
を有することを特徴とする治具。
【請求項５】
請求項４に記載の治具であって、
前記筒状部材は、前記第１の治具の軸方向において、前記第１の治具が通されたとき、前記第１の治具を締め付ける締め付け部材、
を有することを特徴とする治具。
【請求項６】
請求項５に記載の治具であって、
前記第１の治具は、前記締め付け部材と係合する締め付け係合部、
を有することを特徴とする治具。
【請求項７】
請求項４に記載の治具であって、
前記第１の治具は、表面に軸方向に平行な第１の係合部を有し、
前記筒状部材は、内側に前記第１の係合部と係合する第２の係合部、
を有することを特徴とする治具。
【請求項８】
柱状の形状を有した支持治具の軸方向において、前記支持治具が通される筒状部材と、
前記筒状部材と連結され、前記支持治具が前記ラックを挟んで係合部材と係合され、前記支持治具に前記機器の前記ラックに取り付けられるために設けられた穴が通されたとき、前記機器の底部を支える支持部材と、
を有することを特徴とする治具。
【請求項９】
柱状の形状であって、その径の大きさが機器のラックに取り付けられるために設けられた穴の径より小さく、係合部材と係合する係合部を有する治具を、前記ラックを挟んで前記係合部材に固定し、
前記ラックに固定した前記治具に前記穴を通す、
ことを特徴とする機器固定方法。
【請求項１０】
請求項９に記載の機器固定方法であって、
前記ラックに固定した前記治具に前記穴を通した後、筒状部材と、前記筒状部材と連結された前記機器の底部を支える支持部材と、を有する支持治具の前記筒状部材を、前記治具に通す、
ことを特徴とする機器固定方法。
【請求項１１】
機器をラックに固定している締結部材の一部を外し、
柱状の形状であって、その径の大きさが前記機器の前記ラックに取り付けられるために設けられた穴の径より小さく、係合部材と係合する係合部を有する治具を、前記締結部材が外された前記機器の穴に通して、前記ラックを挟んで前記係合部材に固定する、
ことを特徴とする機器取り外し方法。
【請求項１２】
請求項１１に記載の機器固定方法であって、
前記治具を、前記ラックを挟んで前記係合部材に固定した後、筒状部材と、前記筒状部材と連結された前記機器の底部を支える支持部材と、を有する支持治具の前記筒状部材を、前記治具に通す、
ことを特徴とする機器取り外し方法。
【請求項１３】
柱状の形状であって、その径の大きさが機器のラックに取り付けられるために設けられた穴の径より小さく、係合部材と係合する係合部を有する支持治具の軸方向において、前記支持治具が通される筒状部材、
を有することを特徴とする治具。
【発明の詳細な説明】
【技術分野】
【０００１】
本発明は、ラックに機器を取り付ける際またはラックから機器を取り外す際に使用する治具、その治具を用いた機器固定方法、および機器取り外し方法に関するものである。
【背景技術】
【０００２】
従来、「ラックに設けられたマウントアングルにねじ止めによって前記ラックに設置されるラックマウント機器を、設置作業時に前記マウントアングルに仮止めするためのラックマウント機器用仮止め金具であって、該ラックマウント機器仮止め金具は、マウントアングル固定部と機器支持部とで構成され、前記マウントアングル固定部は、前記マウントアングルに保持できるように磁石面を構成すると共に、前記機器支持部は、前記磁石面より突出させることを特徴とするラックマウント機器用仮止め金具。」が提案されている（例えば、特許文献１参照）。
【先行技術文献】
【特許文献】
【０００３】
【特許文献１】特開２００３−２２９６８５号公報
【発明の概要】
【発明が解決しようとする課題】
【０００４】
しかし、特許文献１では、マウントアングルの材質によっては、ラックマウント機器用仮止め金具の磁石による引力が弱く、ラックマウント機器を支持できない場合があり、ラックマウント機器をマウントアングルに容易に固定できない場合がある。
【０００５】
そこで本発明は、容易に機器をラックに固定できる技術を提供することを目的とする。
【課題を解決するための手段】
【０００６】
本願は、上記課題の少なくとも一部を解決する手段を複数含んでいるが、その例を挙げるならば、以下の通りである。上記課題を解決すべく、本発明に係る治具は、柱状の形状であって、その径の大きさが機器のラックに取り付けられるために設けられた穴の径より小さく、係合部材と係合する係合部を有し、前記機器が前記ラックに取り付けられる際または前記ラックから前記機器が取り外される際、前記ラックを挟んで前記係合部材と係合され、前記穴が通される、ことを特徴とする。
【０００７】
また、上記の治具においては、前記係合部は、柱状の形状の側面に設けられたねじ山であり、前記係合部材は、ナットである、ことを特徴とするものであってもよい。
【０００８】
また、上記の治具においては、前記ねじ山のねじ先とは逆方向の終端には、前記ねじ山より高いガイドが設けられている、ことを特徴とするものであってもよい。
【０００９】
また、本発明に係る他の治具は、柱状の形状であって、その径の大きさが機器のラックに取り付けられるために設けられた穴の径より小さく、係合部材と係合する係合部を有し、前記機器が前記ラックに取り付けられる際または前記ラックから前記機器が取り外される際、前記ラックを挟んで前記係合部材と係合され、前記機器の前記穴が通される、第１の治具と、前記第１の治具の軸方向において、前記第１の治具が通される筒状部材と、前記第１の治具が前記ラックを挟んで前記係合部材と係合され、前記第１の治具に前記穴が通されたとき、前記機器の底部を支える、前記筒状部材と連結された支持部材と、を有する第２の治具と、を有することを特徴とする。
【００１０】
また、上記の治具においては、前記筒状部材は、前記第１の治具の軸方向において、前記第１の治具が通されたとき、前記第１の治具を締め付ける締め付け部材、を有することを特徴とするものであってもよい。
【００１１】
また、上記の治具においては、前記第１の治具は、前記締め付け部材と係合する締め付け係合部、を有することを特徴とするものであってもよい。
【００１２】
また、上記の治具においては、前記第１の治具は、表面に軸方向に平行な第１の係合部を有し、前記筒状部材は、内側に前記第１の係合部と係合する第２の係合部、を有することを特徴とするものであってもよい。
【００１３】
また、本発明に係る他の治具は、柱状の形状を有した支持治具の軸方向において、前記支持治具が通される筒状部材と、前記筒状部材と連結され、前記支持治具が前記ラックを挟んで係合部材と係合され、前記支持治具に前記機器の前記ラックに取り付けられるために設けられた穴が通されたとき、前記機器の底部を支える支持部材と、を有することを特徴とする。
【００１４】
また、本発明に係る機器固定方法は、柱状の形状であって、その径の大きさが機器のラックに取り付けられるために設けられた穴の径より小さく、係合部材と係合する係合部を有する治具を、前記ラックを挟んで前記係合部材に固定し、前記ラックに固定した前記治具に前記穴を通す、ことを特徴とする。
【００１５】
また、上記の機器固定方法は、前記ラックに固定した前記治具に前記穴を通した後、筒状部材と、前記筒状部材と連結された前記機器の底部を支える支持部材と、を有する支持治具の前記筒状部材を、前記治具に通す、ことを特徴とするものであってもよい。
【００１６】
また、本発明に係る機器取り外し方法は、機器をラックに固定している締結部材の一部を外し、柱状の形状であって、その径の大きさが前記機器の前記ラックに取り付けられるために設けられた穴の径より小さく、係合部材と係合する係合部を有する治具を、前記締結部材が外された前記機器の穴に通して、前記ラックを挟んで前記係合部材に固定する、ことを特徴とする。
【００１７】
また、上記の機器取り外し方法は、前記治具を、前記ラックを挟んで前記係合部材に固定した後、筒状部材と、前記筒状部材と連結された前記機器の底部を支える支持部材と、を有する支持治具の前記筒状部材を、前記治具に通す、ことを特徴とするものであってもよい。
【００１８】
また、本発明に係る他の治具は、柱状の形状であって、その径の大きさが機器のラックに取り付けられるために設けられた穴の径より小さく、係合部材と係合する係合部を有する支持治具の軸方向において、前記支持治具が通される筒状部材、を有することを特徴とする。
【発明の効果】
【００１９】
本発明によれば、より容易に機器をラックに固定することができる。上記した以外の課題、構成、および効果は、以下の実施形態の説明により明らかにされる。
【図面の簡単な説明】
【００２０】
【図１】機器およびラックの一部であるマウントアングルの斜視図である。
【図２】係合部材のマウントアングルへの固定を説明する図である。
【図３】図２のＡ−Ａ方向矢視の断面図である。
【図４】第１の実施の形態に係る治具の斜視図である。
【図５】第１の実施の形態に係る治具の正面図である。
【図６】第１の実施の形態に係る治具の平面図である。
【図７】治具のマウントアングルへの固定を説明する図である。
【図８】機器のマウントアングルへの固定を説明する図のその１である。
【図９】機器のマウントアングルへの固定を説明する図のその２である。
【図１０】機器のマウントアングルへの固定を説明する図のその３である。
【図１１】機器のマウントアングルへの固定を説明する図のその４である。
【図１２】第２の実施の形態に係る治具の平面図である。
【図１３】第３の実施の形態に係る治具の斜視図である。
【図１４】図１３の治具の使用方法を説明する図である。
【図１５】第４の実施の形態に係る治具の斜視図である。
【図１６】第５の実施の形態に係る治具の斜視図である。
【図１７】図１６の治具に固定される治具の斜視図である。
【発明を実施するための形態】
【００２１】
各実施の形態を説明する前に、一般的な機器のラックへの取り付け方について説明する。
図１は、機器１１およびラックの一部であるマウントアングル１２ａ，１２ｂの斜視図である。図１には、機器１１およびマウントアングル１２ａ，１２ｂの他に、機器１１をマウントアングル１２ａ，１２ｂに固定するための締結部材１３ａ〜１３ｄおよび係合部材１４ａ〜１４ｄも示してある。
【００２２】
機器１１は、フロントパネルの左右において、耳１１ａ，１１ｂを有している。耳１１ａ，１１ｂは、機器１１の横方向（水平方向）において、機器１１の筐体本体より外側に突出している。
【００２３】
耳１１ａは、穴１１ａａ，１１ａｂを有している。穴１１ａａ，１１ａｂは、機器１１の縦方向（垂直方向）に沿って形成されている。穴１１ａａ，１１ａｂは、機器１１をマウントアングル１２ａ，１２ｂに固定するために設けられた貫通した穴である。
【００２４】
耳１１ｂは、穴１１ｂａ，１１ｂｂを有している。穴１１ｂａ，１１ｂｂは、機器１１の縦方向に沿って形成されている。穴１１ａａ，１１ａｂは、機器１１をマウントアングル１２ａ，１２ｂに固定するために設けられた穴である。
【００２５】
マウントアングル１２ａは、複数の穴１２ａａを有している。マウントアングル１２ｂは、複数の穴１２ｂａを有している。ラックは、例えば、ＥＩＡ（Electronic Industries Alliance）規格に準拠しており、これにより、例えば、１Ｕサイズや２Ｕサイズのサーバ（機器１１）を、マウントアングル１２ａ，１２ｂに固定することができる。
【００２６】
締結部材１３ａ〜１３ｄは、機器１１の耳１１ａ，１１ｂと、マウントアングル１２ａ，１２ｂとを挟んで係合部材１４ａ〜１４ｄに係合し、機器１１をマウントアングル１２ａ，１２ｂに締結（固定）する。締結部材１３ａ〜１３ｄは、例えば、ねじやボルトである。
【００２７】
より具体的には、締結部材１３ａ〜１３ｄのそれぞれは、機器１１をマウントアングル１２ａ，１２ｂに固定するとき、機器１１の耳１１ａ，１１ｂに設けられている穴１１ａａ，１１ａｂ，１１ｂａ，１１ｂｂに通される。そして、締結部材１３ａ〜１３ｄのそれぞれは、マウントアングル１２ａ，１２ｂに固定された係合部材１４ａ〜１４ｄ（係合部材１４ａ〜１４ｄのマウントアングル１２ａ，１２ｂへの固定方法は後述する）に係合し、固定される。これにより、機器１１は、耳１１ａ，１１ｂがマウントアングル１２ａ，１２ｂに固定されて、ラックに取り付けられる。
【００２８】
係合部材１４ａ〜１４ｄは、例えば、ナットである。係合部材１４ａ〜１４ｄは、機器１１をマウントアングル１２ａ，１２ｂに固定する際、マウントアングル１２ａ，１２ｂの機器１１が固定される側の面とは反対の面に固定される。係合部材１４ａ〜１４ｄのマウントアングル１２ａ，１２ｂへの固定方法は後述する。
【００２９】
一般に、機器１１をラックのマウントアングル１２ａ，１２ｂに固定する際、機器１１を手で支えながら、機器１１を締結部材１３ａ〜１３ｄでマウントアングル１２ａ，１２ｂに固定する。そのため、機器１１のマウントアングル１２ａ，１２ｂへの取り付けが困難となる。特に、機器１１が重いと、機器１１のマウントアングル１２ａ，１２ｂへの取り付けが困難となる。
【００３０】
これに対し、後述する本願発明の各実施形態の治具は、機器１１をマウントアングル１２ａ，１２ｂへ仮固定するので、機器１１を手で支えなくても、容易にマウントアングル１２ａ，１２ｂに固定することができる。また、機器１１が重く、機器１１を手で支えなくてはならない場合でも、手に押しかかる重さを軽減することができる。
【００３１】
図２は、係合部材１４ａ〜１４ｄのマウントアングル１２ａ，１２ｂへの固定を説明する図である。図２には、図１に示したマウントアングル１２ａと、係合部材１４ａと、が示してある。図２において、図１と同じものには同じ符号が付してある。
【００３２】
図２に示すように、係合部材１４ａは、直方体状の形状を有し、ある面（図２中の上側の面）において鍔部１４ａａを有し、ある面に対向する面（図２中の下側の面）に鍔部１４ａｂを有している。
【００３３】
鍔部１４ａａ，１４ａｂは、例えば、金属によって形成されており、撓むことができる。係合部材１４ａは、例えば、鍔部１４ａａ，１４ａｂが互いに近づく方向に撓まされ、マウントアングル１２ａの穴１２ａａに通されることにより、マウントアングル１２ａに固定される。
【００３４】
係合部材１４ａは、中心部に穴１４ａｃを有している。穴１４ａｃは、例えば、めねじ構造を有しており、図１に示した締結部材１３ａが締め付けられるようになっている。
【００３５】
図３は、図２の係合部材１４ａをマウントアングル１２ａに固定したときの矢印Ａ１方向から見た断面図である。図３において図２と同じものには同じ符号が付してある。
【００３６】
図３に示すように、係合部材１４ａは、鍔部１４ａａ，１４ａｂがマウントアングル１２ａの穴１２ａａに差し込まれることによって、マウントアングル１２ａに固定される。
【００３７】
他の係合部材１４ｂ〜１４ｄも、図２および図３に示す係合部材１４ａと同様の構成を有し、マウントアングル１２ａ，１２ｂに固定される。
【００３８】
以下、本発明に係る機器１１のマウントアングル１２ａ，１２ｂへの固定を容易にするための治具および取り付け方法について説明する。
【００３９】
［第１の実施の形態］
図４は、第１の実施の形態に係る治具の斜視図である。図５は、第１の実施の形態に係る治具の正面図である。図６は、第１の実施の形態に係る治具の平面図である。図４〜図６において同じものには同じ符号が付してある。
【００４０】
図４〜図６に示すように、治具２０は、柱状の形状を有している。治具２０は、矢印Ａ２に示すように、軸方向の一端側において、係合部材１４ａ〜１４ｄと係合する係合部２１を有している。係合部２１は、例えば、治具２０の側面の表面に形成されたねじ山であり、例えば、係合部材１４ａ〜１４ｄが有しているめねじの穴に、ねじ作用で嵌めあうようになっている。治具２０は、例えば、鋼やステンレス等の金属によって形成される。
【００４１】
治具２０は、矢印Ａ３に示すように、軸方向の他端側において（係合部２１とは反対側において）、柱状の形状が窄み、扁平となっている。これにより、治具２０は、摘まんで回転させ易くなっている。
【００４２】
治具２０の径（半径方向の径）は、機器１１の耳１１ａ，１１ｂに設けられた穴１１ａａ，１１ａｂ，１１ｂａ，１１ｂｂの径より小さい。例えば、治具２０の径は、治具２０が遊びなく、機器１１の穴１１ａａ，１１ａｂ，１１ｂａ，１１ｂｂを通過できる大きさである。これにより、治具２０は、軸方向において、耳１１ａ，１１ｂに設けられた穴１１ａａ，１１ａｂ，１１ｂａ，１１ｂｂを通過することができる。
【００４３】
図７は、治具２０のマウントアングル１２ａへの固定を説明する図である。図７において、図２〜図６と同じものには同じ符号が付してある。図７のマウントアングル１２ａには、係合部材１４ａ，１４ｂが固定されている。
【００４４】
図７に示す係合部材１４ｂに、治具２０を固定するには、治具２０の係合部２１を係合部材１４ｂに係合（固定）させる。例えば、治具２０の係合部２１がねじ山であり、係合部材１４ｂの穴１４ｂｃがめねじの穴の場合、矢印Ａ３に示す治具２０の他端をつまんで、治具２０を回すことによって、治具２０を係合部材１４ｂに固定することができる。
【００４５】
図８は、機器１１のマウントアングル１２ａ，１２ｂへの固定を説明する図のその１である。図８には、図１で示したマウントアングル１２ａ，１２ｂおよび係合部材１４ａ〜１４ｄと、図４〜図６で示した治具２０が示してある。
【００４６】
機器１１をマウントアングル１２ａ，１２ｂに固定するには、図８に示すように、マウントアングル１２ａ，１２ｂに係合部材１４ａ〜１４ｄを固定する。例えば、図２および図３で説明したようにして、マウントアングル１２ａ、１２ｂに係合部材１４ａ〜１４ｄを固定する。なお、係合部材１４は、機器１１を締結部材１３でマウントアングル１２ａ，１２ｂに本止めする位置に固定する。
【００４７】
そして、マウントアングル１２ａに固定された係合部材１４ａ，１４ｂの一方に、治具２０を固定する。例えば、図７で説明したようにして、マウントアングル１２ａに固定された係合部材１４ａ，１４ｂの一方に、治具２０を固定する。同様に、マウントアングル１２ｂに固定された係合部材１４ｃ，１４ｄの一方に、治具２０を固定する。
【００４８】
治具２０は、マウントアングル１２ａに固定された係合部材１４ａ，１４ｂのどちらか一方に固定すればよい。また、治具２０は、マウントアングル１２ｂに固定された係合部材１４ｃ，１４ｄのどちらか一方に固定すればよい。すなわち、治具２０は、図８に示すように、２つのマウントアングル１２ａ，１２ｂのそれぞれに固定するようにする。つまり、治具２０は、機器１１の左右の耳１１ａ，１１ｂの穴が通されるように、マウントアングル１２ａ，１２ｂのそれぞれに固定する。
【００４９】
図９は、機器１１のマウントアングル１２ａ，１２ｂへの固定を説明する図のその２である。図９において、図８と同じものには同じ符号が付してある。
【００５０】
図９に示すように、マウントアングル１２ａ，１２ｂに固定された治具２０には、機器１１の耳１１ａ，１１ｂに設けられた穴１１ａｂ，１１ｂｂが通される。これにより、機器１１は、マウントアングル１２ａ，１２ｂに固定された治具２０によって、マウントアングル１２ａ，１２ｂに仮固定される。
【００５１】
図１０は、機器１１のマウントアングル１２ａ，１２ｂへの固定を説明する図のその３である。図１０において、図８および図９と同じものには同じ符号が付してある。
【００５２】
図１０に示すように、マウントアングル１２ａ，１２ｂに仮固定された機器１１の耳１１ａ，１１ｂの、治具２０が通されていない穴１１ａａ，１１ｂａに、締結部材１３ａ，１３ｃを通す。そして、締結部材１３ａ，１３ｃを、マウントアングル１２ａ，１２ｂに固定された、図示していない係合部材１４ａ，１４ｃに締め付ける。
【００５３】
機器１１は、治具２０によって、マウントアングル１２ａ，１２ｂに仮固定されている。従って、ユーザは、機器１１を手で支えなくても、または機器１１を手で支える場合であっても、機器１１の手に押しかかる重さが軽減されて、締結部材１３ａ，１３ｃを、機器１１の耳１１ａ，１１ｂを挟んで、マウントアングル１２ａ，１２ｂに固定し、機器１１をマウントアングル１２ａ，１２ｂに固定することができる。
【００５４】
図１１は、機器１１のマウントアングル１２ａ，１２ｂへの固定を説明する図のその４である。図１１において、図８〜図１０と同じものには同じ符号が付してある。
【００５５】
図１１では、図１０に対し、締結部材１３ａ，１３ｃが、機器１１の耳１１ａ，１１ｂを挟んでマウントアングル１２ａ，１２ｂに固定されている。また、図１１では、図１０に対し、治具２０が取り外されている。
【００５６】
締結部材１３ｂ，１３ｄは、機器１１の耳１１ａ，１１ｂの穴１１ａｂ，１１ｂｂに通される。そして、締結部材１３ｂ，１３ｄは、機器１１の耳１１ａ，１１ｂを挟んで、図示していないマウントアングル１２ａ、１２ｂに固定された係合部材１４ｂ，１４ｄに固定される。これにより、機器１１は、締結部材１３ａ〜１３ｄによって、マウントアングル１２ａ，１２ｂに固定される。
【００５７】
図１１に示すように、機器１１は、締結部材１３ａ，１３ｃによって、マウントアングル１２ａ，１２ｂに固定されている。従って、機器１１を仮固定していた治具２０を、マウントアングル１２ａ，１２ｂから外しても、機器１１は、マウントアングル１２ａ，１２ｂから落下しない。つまり、ユーザは、機器１１を手で支えなくても、または機器１１を手で支える場合であっても、機器１１の手に押しかかる重さが軽減されて、締結部材１３ｂ，１３ｄを、機器１１の耳１１ａ，１１ｂを挟んで、マウントアングル１２ａ，１２ｂに固定し、機器１１をマウントアングル１２ａ，１２ｂに固定することができる。
【００５８】
上記では、機器１１をラックに固定する際に、治具２０を用いる例について説明したが、ラックから機器１１を取り外すときにも治具２０を用いることができる。
【００５９】
例えば、機器１１は、締結部材１３ａ〜１３ｄによって、マウントアングル１２ａ，１２ｂに固定されているとする。この場合、例えば、図１１に示すように、締結部材１３ｂ，１３ｄをマウントアングル１２ａ，１２ｂから外す。そして、例えば、図１０に示すように、治具２０を機器１１の耳１１ａ，１１ｂの穴１１ａｂ，１１ｂｂに通してマウントアングル１２ａ，１２ｂに固定し、締結部材１３ａ，１３ｃを外す。これにより、機器１１は、図９に示すような状態となり、ユーザは、機器１１を治具２０の軸方向に沿って、マウントアングル１２ａ，１２ｂから離れるように移動し、マウントアングル１２ａ，１２ｂに固定された治具２０から、機器１１を抜いて、マウントアングル１２ａ，１２ｂから機器１１を取り外すことができる。すなわち、ユーザは、機器１１を手で支えることなく、または機器１１を手で支える場合であっても、機器１１の手に押しかかる重さが軽減されて、マウントアングル１２ａ，１２ｂから取り外すことができる。
【００６０】
このように、治具２０は、柱状の形状であって、その径の大きさが、機器１１のラック（マウントアングル１２ａ，１２ｂ）に取り付けられるために設けられた穴１１ａａ，１１ａｂ，１１ｂａ，１１ｂｂの径より小さく、係合部材１４ｂ，１４ｄと係合する係合部２１を有する。そして、治具２０は、機器１１がラックに取り付けられる際または機器１１がラックから取り外される際、ラックを挟んで係合部材１４ｂ，１４ｄと係合され、機器１１のラックに取り付けるために設けられた穴１１ａｂ，１１ｂｂが通される。これにより、ユーザは、機器１１を手で支えることなく、または機器１１を手で支える場合であっても、機器１１の手に押しかかる重さが軽減されて、ラックに固定することができ、容易に機器１１をラックに固定することができる。
【００６１】
なお、係合部材１４ａ〜１４ｄは、上記では、マウントアングル１２ａ，１２ｂに固定されるとしたが、固定されないものであってもよい。この場合も、ユーザは、機器１１を手で支えることなくラックに固定することができ、容易に機器１１をラックに固定することができる。
【００６２】
［第２の実施の形態］
第２の実施の形態では、治具２０のねじ山のねじ先とは逆方向の終端に、ねじ山より高いガイドを設ける。これにより、治具２０が係合部材１４ａ〜１４ｄに対し、必要以上に差し込まれるのを防止する。
【００６３】
図１２は、第２の実施の形態に係る治具２０の平面図である。図１２において、図６と同じものには同じ符号が付してある。
【００６４】
図１２に示すように治具２０は、係合部２１を有している。係合部２１は、図６で説明したように、例えば、ねじ山である。ねじ山のねじ先（矢印Ａ２に示す部分）とは逆方向の終端（矢印Ａ４に示す部分）には、ねじ山より高いガイド３１が設けられている。
【００６５】
ガイド３１は、例えば、リング状の形状を有しており、その径は、係合部材１４ａ〜１４ｄの径より大きい。これにより、例えば、図７において、図１２に示す治具２０を、ねじ作用で係合部材１４ｂに嵌め合わせたとき、治具２０は、ガイド３１が係合部材１４ｂの穴１４ｂｃの周辺部分に接することによって、必要以上に係合部材１４ｂに嵌め合うことが防止される。より具体的には、治具２０のねじ山が形成されていない部分にまで、治具２０が、係合部材１４ｂに差し込まれることが抑制される。
【００６６】
このように、治具２０は、柱状の形状の側面の表面に設けられたねじ山のねじ先とは逆方向の終端に、ねじ山より高いガイドを有する。これにより、治具２０は、必要以上に係合部材１４ｂに差し込まれることが抑制され、治具２０および係合部材１４ｂの破損を防止することができる。
【００６７】
なお、上記では、ガイド３１の形状は、例えば、リング状としたが、これに限られない。例えば、ねじ山のねじ先とは逆方向の終端に、ねじ山より高い部分が一部形成されているだけでもよい。つまり、治具２０が、必要以上に係合部材１４ｂに差し込まれることが抑制されればよい。
【００６８】
［第３の実施の形態］
治具２０を用いて、機器１１をラックに取り付ける場合、機器１１の重さによっては、機器１１の後方が下方に傾くことがある。第３の実施の形態では、機器１１の後方の下方への傾きを抑制し、機器１１をラックに取り付けやすくする。
【００６９】
図１３は、第３の実施の形態に係る治具４０の斜視図である。図１３に示すように、治具４０は、筒状部材４１と、締め付け部材４２と、連結部材４４と、支持部材４５と、を有している。治具４０は、例えば、鋼やステンレス等の金属によって形成される。
【００７０】
筒状部材４１は、筒状の形状を有している。筒状部材４１の内径は、図４等で説明した治具２０の径より大きく、治具２０は、軸方向において、筒状部材４１の中空部４３を通過できるようになっている。筒状部材４１の内径は、例えば、治具２０が遊びなく、通過できる大きさである。また、筒状部材４１の外径は、機器１１の穴１１ａａ，１１ａｂ，１１ｂａ，１１ｂｂより大きい。
【００７１】
筒状部材４１は、締め付け部材４２を有している。締め付け部材４２は、例えば、蝶ボルトである。
【００７２】
締め付け部材４２は、例えば、ねじ作用によって、筒状部材４１の半径方向に移動できるようになっている。そして、締め付け部材４２は、筒状部材４１の中空部４３まで貫通することができるようになっている。以下で説明するが、マウントアングル１２ａ，１２ｂに固定された治具２０に、筒状部材４１の中空部４３を通し、締め付け部材４２を、筒状部材４１の中空部４３まで貫通するよう、ねじ作用によって移動させると（締め付けると）、治具４０は、治具２０に固定される。
【００７３】
筒状部材４１は、連結部材４４を有している。連結部材４４は、筒状部材４１と、支持部材４５と、を連結している。筒状部材４１、連結部材４４、および支持部材４５は、例えば、一体成形されている。
【００７４】
支持部材４５は、板状の形状であって、四角形状を有している。支持部材４５は、その法線が、筒状部材４１の軸方向と垂直となるように、連結部材４４によって、筒状部材４１に連結されている。また、支持部材４５は、４隅の一角付近において、連結部材４４によって、筒状部材４１に連結されている。図１３では、支持部材４５の図中奥側の辺の右角において、筒状部材４１と支持部材４５とが連結されているが、図中手前側の辺の右角において、筒状部材４１と支持部材４５とが連結されていてもよい。
【００７５】
連結部材４４は、筒状部材４１の中心軸Ｃ１から支持部材４５の面に対し平行に伸びる線Ｃ２と、支持部材４５の面との距離Ｃ３が、例えば、図１に示す機器１１の穴１１ｂｂの中心と、機器１１の底面との距離と等しくなる、または少し大きくなるように、筒状部材４１と支持部材４５とを連結する。これにより、以下で説明するが、治具４０を治具２０に固定したとき、機器１１の底面は、支持部材４５に載置される。
【００７６】
図１４は、図１３の治具４０の使用方法を説明する図である。図１４には、第１の実施の形態で説明した機器１１と、マウントアングル１２ｂと、治具２０と、が示してある。図１４では、治具２０は、マウントアングル１２ｂに固定されて、機器１１の耳１１ｂに設けられた穴１１ｂｂが通されている。
【００７７】
また、図１４には、図１３に示した治具４０が示してある。図１４では、図１３の治具４０に対し、締め付け部材４２の図示を省略している。
【００７８】
図１４に示すように、治具４０の支持部材４５が、機器１１の底面に配置されるよう、治具４０の筒状部材４１を、マウントアングル１２ｂに固定された治具２０に通す。そして、治具４０の筒状部材４１の筒先面（筒状部材４１の機器１１のフロントパネルと接する部分）を、機器１１のフロントパネルに接触するようにし、図示していない治具４０の締め付け部材を治具２０に締め付け、治具４０を治具２０に固定する。
【００７９】
これにより、機器１１は、治具４０の支持部材４５に載置される。すなわち、機器１１は、治具４０によって、後方が下方に傾くのが抑制される。そして、締結部材１３ｃは、機器１１の耳１１ｂの穴１１ｂａに通しやすくなり、機器１１のマウントアングル１２ｂへの取り付けがより容易となる。また、治具４０の筒状部材４１の筒先面を、機器１１のフロントパネルに接するようにして、治具４０を治具２０に固定することにより、機器１１のフロントパネルは、治具４０の筒状部材４１の筒先面によって、マウントアングル１２ａ，１２ｂに押圧され、機器１１は、マウントアングル１２ａ，１２ｂにしっかりと仮固定される。
【００８０】
このように、治具４０は、筒状の形状であって、治具２０の軸方向において、治具２０が通される筒状部材４１と、治具２０がマウントアングル１２ｂ（ラック）を挟んで係合部材と係合され、治具２０に機器１１のラックに取り付けられるために設けられた穴が通されたとき、機器１１の底部を支える、筒状部材４１と連結された支持部材４５と、有する。これにより、機器１１の後方の下方への傾きが抑制され、機器１１をラックに取り付けやすくする。
【００８１】
なお、上記では、機器１１をラックに固定する際に、治具４０を用いる例について説明したが、ラックから機器１１を取り外すときにも治具４０を用いることができる。例えば、機器１１は、締結部材１３ａ〜１３ｄによって、マウントアングル１２ａ，１２ｂに固定されているとする。この場合、例えば、図１１に示すように、締結部材１３ｂ，１３ｄをマウントアングル１２ａ，１２ｂから外す。そして、例えば、図１０に示すように、治具２０を機器１１の耳１１ａ，１１ｂに通してマウントアングル１２ａ，１２ｂに固定し、固定した治具２０に、図１３および図１４で説明した治具４０を固定する。これにより、治具４０は、図１４に示すような、機器１１の底面を支える状態となり、ユーザは、機器１１を固定している、残りの締結部材１３ａ，１３ｃを容易に取り外すことができる。
【００８２】
また、上記では、筒状部材４１は１つとしたが、筒状部材４１は、その軸方向が平行となるように、支持部材４５に２つ連結されていてもよい。この場合、２つの筒状部材４１の軸間の距離は、マウントアングル１２ａ，１２ｂのそれぞれの穴１２ａ，１２ｂの距離と等しくなるようにする。これにより、治具４０は、２つのマウントアングル１２ａ，１２ｂのそれぞれに固定された治具２０に固定することができ、治具４０の支持部材４５は、安定して、機器１１の底面を支持することができる。
【００８３】
また、支持部材４５は板状の形状であるので、機器１１をマウントアングル１２ａ，１２ｂに近接して多段固定する場合でも、治具４０は、多段固定する機器１１の間に、支持部材４５を挿入して用いることができる。例えば、１つの機器１１が、マウントアングル１２ａ，１２ｂに固定されているとする。その機器１１のすぐ上に、もう１つの機器１１を固定するとする。この場合、すでに固定されている機器１１の上面と、これから固定しようとする機器１１の底面との間の隙間が小さくても、支持部材４５は、板状の形状であるので、これらの２つの機器１１の間に挿入することができる。これにより、機器１１を多段固定する場合でも、機器１１を容易に固定することができる。
【００８４】
また、筒状部材４１の外径は、機器１１の穴１１ａａ，１１ａｂ，１１ｂａ,１１ｂｂの径より大きい。従って、複数の機器１１を、隙間がないように多段固定する場合でも、治具４０の支持部材４５が、機器１１のフロントパネルの法線側となるよう（機器１１の底面に配置されないよう）治具４０の筒状部材４１を治具２０に固定し、筒状部材４１の筒先面で、機器１１のフロントパネルを押圧するように、治具４０を用いることができる。例えば、図１４において、治具４０の支持部材４５が、治具２０の形状が窄んだ側の方向を向くように（機器１１のフロントパネルの法線側を向くように）、治具４０を治具２０に固定する。これにより、機器１１のフロントパネルは、治具４０の筒状部材４１の筒先面によってマウントアングル１２ａ，１２ｂに押圧され、機器１１をマウントアングル１２ａ，１２ｂにしっかり仮固定することができる。
【００８５】
また、支持部材４５は、筒状部材４１に連結されていなくてもよい。すなわち、治具４０は、連結部材４４および支持部材４５を備えず、筒状部材４１によって構成されていてもよい。これによっても、治具４０は、例えば、上記したように、筒状部材４１の筒先面によって、機器１１のフロントパネルをマウントアングル１２ａ，１２ｂに押圧し、機器１１をマウントアングル１２ａ，１２ｂにしっかり仮固定することができる。特に、機器１１があまり重くない場合には、治具４０は、連結部材４４および支持部材４５を備えなくてもよい。
【００８６】
［第４の実施の形態］
治具４０は、締め付け部材４２を治具２０に締め付けることによって、治具２０に固定されるが、治具４０の筒状部材４１が、治具２０の軸を中心として、回転する場合がある。第４の実施の形態では、治具４０の回転を防止する。
【００８７】
図１５は、第４の実施の形態に係る治具２０の斜視図である。図１５において、図６と同じものには同じ符号が付してある。
【００８８】
図１５に示すように、治具２０は、締め付け係合部５１を有している。締め付け係合部５１は、治具２０の係合部２１が設けられていない部分に設けられている。締め付け係合部５１は、図１３で説明した締め付け部材４２の先端が係合するように、柱状の側面の表面が窪んでいる。
【００８９】
図１５に示す治具２０は、例えば、図１４において、締め付け係合部５１が上方を向くように、マウントアングル１２ｂに固定する。治具２０の係合部２１は、例えば、ねじ山であり、そのねじ山は、締め付け係合部５１が上方を向いて、マウントアングル１２ｂに固定されるように形成される。
【００９０】
これにより、治具４０の筒状部材４１を、マウントアングル１２ｂに固定した治具２０に通し、締め付け部材４２を筒状部材４１の中空部に向かって移動すると（締めると）、締め付け部材４２の先端が、治具２０の締め付け係合部５１に係合する。
【００９１】
このように、治具２０は、締め付け部材４２と係合する締め付け係合部５１を有する。これにより、例えば、図１４において、治具４０は、筒状部材４１の軸を中心として、回転する（図１４の場合反時計まわりに回転する）のを防止することができる。
【００９２】
［第５の実施の形態］
第５の実施の形態では、治具４０の回転を防止する、第４の実施の形態とは別の例について説明する。
【００９３】
図１６は、第５の実施の形態に係る治具２０の斜視図である。図１５において、図６と同じものには同じ符号が付してある。
【００９４】
図１６に示すように、治具２０は、係合部６１を有している。係合部６１は、治具２０の係合部２１が設けられていない部分に設けられている。係合部６１は、以下で説明する治具４０に設けられた係合部と係合するようになっている。係合部６１は、例えば、溝であり、治具２０の側面の表面に、軸方向に沿って形成されている。
【００９５】
図１７は、図１６の治具２０に固定される治具４０の斜視図である。図１７において、図１３と同じものには同じ符号が付してある。
【００９６】
図１７に示すように、治具４０の筒状部材４１は、内側に係合部７１を有している。係合部７１は、例えば、筒状部材４１の内壁に設けられた山であり、その山は軸方向と平行に形成されている。係合部７１の山の形状は、例えば、図１６に示した係合部６１（溝）と係合する形状となっている。
【００９７】
図１６に示す治具２０は、例えば、治具４０の筒状部材４１が通されて固定されたとき、治具４０の支持部材４５が機器１１の底面に配置されるように、マウントアングルに固定する。例えば、図１４において、機器１１のフロントパネルを正面にして、治具２０の係合部６１が、時計の３時方向を向くように、治具２０をマウントアングル１２ｂに固定する。治具２０の係合部２１は、例えば、ねじ山であり、そのねじ山は、治具２０がマウントアングル１２ｂに固定されたとき、係合部６１が時計の３時方向を向いて、マウントアングル１２ｂに固定されるように形成される。この場合、図１７に示す治具４０を治具２０に固定すると、治具４０の支持部材４５が、機器１１の底面に配置される。
【００９８】
このように、治具２０は、側面の表面に軸方向に平行な係合部６１を有し、治具４０の筒状部材４１は、内側に治具２０の係合部６１と係合する係合部７１を有する。これにより、例えば、図１４において、治具４０は、筒状部材４１の軸を中心として、回転する（図１４の場合反時計まわりに回転する）のを防止することができる。
【００９９】
なお、図１６に示した治具２０の係合部６１は、例えば、溝であるとしたが、直線状に形成された山であってもよい。そして、図１７に示した治具４０の筒状部材４１に、治具２０に設けられた山に係合する溝を形成するようにしてもよい。
【０１００】
本発明の技術的範囲は上記実施形態に記載の範囲には限定されない。上記実施形態に多様な変更または改良を加えることが可能であり、また、各実施の形態を組み合わせることもできる。また、そのような変更または改良を加えた形態も本発明の技術的範囲に含まれ得ることが、特許請求の範囲の記載から明らかである。
【符号の説明】
【０１０１】
１１：機器、
１１ａ，１１ｂ：耳、
１１ａａ，１１ａｂ，１１ｂａ，１１ｂｂ：穴、
１２ａ，１２ｂ：マウントアングル、
１２ａａ，１２ｂａ：穴、
１３ａ〜１３ｄ：締結部材、
１４ａ〜１４ｄ：係合部材、
１４ａａ，１４ａｂ：鍔部、
１４ａｃ：穴、
２０：治具、
２１：係合部、
３１：ガイド、
４１：筒状部材、
４２：締め付け部材、
４３：中空部、
４４：連結部材、
４５：支持部材、
５１：締め付け係合部
６１：係合部、
７１：係合部。
【図１】
2016082046.tif 000003
【図２】
2016082046.tif 000004
【図３】
2016082046.tif 000005
【図４】
2016082046.tif 000006
【図５】
2016082046.tif 000007
【図６】
2016082046.tif 000008
【図７】
2016082046.tif 000009
【図８】
2016082046.tif 000010
【図９】
2016082046.tif 000011
【図１０】
2016082046.tif 000012
【図１１】
2016082046.tif 000013
【図１２】
2016082046.tif 000014
【図１３】
2016082046.tif 000015
【図１４】
2016082046.tif 000016
【図１５】
2016082046.tif 000017
【図１６】
2016082046.tif 000018
【図１７】
2016082046.tif 000019